(57)【特許請求の範囲】
【請求項１】
給水を開始する指示を受けることでサイフォン方式の大便器に給水を開始し、所定の条件を満たすことで自律的に給水を停止する流路開閉装置であって、
給水元に繋がる一次側流路と給水先である大便器へ繋がる二次側流路との間の流路開閉を行う主弁体及び主弁座を有する主バルブと、
前記一次側流路から前記二次側流路へ流れる水の瞬間流量を一定に保つように相互の距離を調整する定流量弁体及び定流量弁座を有する定流量バルブと、を備え、
前記主弁体及び前記定流量弁体は一体化された弁体部材として形成され、
前記大便器を洗浄するための洗浄水を前記大便器に供給する洗浄水供給段階では、前記弁体部材を後退方向に駆動し、前記主弁体を前記主弁座から離隔させることで前記二次側流路に洗浄水を供給すると共に、前記定流量弁体と前記定流量弁座との距離を調整することで洗浄水の瞬間流量を一定に保つ一方で、
前記大便器の封水を形成するためのリフィル水を前記大便器に供給するリフィル水供給段階では、前記弁体部材を前進方向に駆動することで、前記主弁体を前記主弁座に当接させるものであり、
前記リフィル水供給段階において、前記一次側流路からの給水圧に応じて前記弁体部材の前進動作を調整することで、給水圧に依存しない所定量のリフィル水を前記大便器に供給するリフィル水量調整手段を備え、
前記リフィル水量調整手段は、前記リフィル水供給段階開始時における前記主弁座に対する前記主弁体の開度が、所定量のリフィル水を供給するために定まる標準開度となるように、前記弁体部材を所定の標準位置まで強制移動させることを特徴とする流路開閉装置。
【請求項２】
前記リフィル水量調整手段は、前記リフィル水供給段階開始時に前記弁体部材を前記標準位置まで強制移動させる準備速度が、前記リフィル水供給段階において前記弁体部材が前記標準位置から更に前記主弁座及び前記主弁体を近接させて閉弁する閉弁位置までの閉弁速度よりも高くなるように前記弁体部材を移動させることを特徴とする請求項１に記載の流路開閉装置。
【請求項３】
前記弁体部材を挟んで前記一次側流路とは反対側に形成され、前記一次側流路から水が流れ込むことで、前記主弁体を前記主弁座に近づけるように作用する背圧を生じさせる背圧室が設けられており、
前記弁体部材は、前記背圧室から付与される背圧と前記一次側流路から作用する給水圧との差圧によって、前進又は後退するように駆動され、
前記リフィル水供給段階における閉弁速度は、前記一次側流路から前記背圧室へ流れ込む水の瞬間流量によって定まるものであり、
前記一次側流路から前記背圧室へ流れ込む水の瞬間流量は、前記リフィル水供給段階開始時に前記弁体部材を前記標準位置まで強制移動させるまでの瞬間流量が、前記標準位置から前記閉弁位置まで移動させるまでの瞬間流量よりも多いことを特徴とする請求項２に記載の流路開閉装置。
【請求項４】
前記一次側流路と前記背圧室とを繋ぐ背圧流路が設けられており、
前記背圧流路の流路断面積は、前記リフィル水供給段階開始時に前記弁体部材を前記標準位置まで強制移動させるまでと、前記標準位置から前記閉弁位置まで移動させるまでとで、変動することを特徴とする請求項３に記載の流路開閉装置。
【請求項５】
前記背圧流路の流路断面積は、前記弁体部材が前記標準位置まで移動することによって変動するように構成されていることを特徴とする請求項４に記載の流路開閉装置。
【請求項６】
前記弁体部材の前記標準位置までの強制移動は、前記弁体部材を前記前進方向に強制移動させることで行われることを特徴とする請求項２に記載の流路開閉装置。
【請求項７】
前記弁体部材を挟んで前記一次側流路とは反対側に形成され、前記一次側流路から水が流れ込むことで、前記主弁体を前記主弁座に近づけるように作用する背圧を生じさせる背圧室と、
前記一次側流路と前記背圧室とを繋ぐ背圧流路と、が設けられており、
前記弁体部材は、前記背圧室から付与される背圧と前記一次側流路から作用する給水圧との差圧によって、前進又は後退するように駆動され、
前記リフィル水供給段階開始時に前記弁体部材が位置する定流量位置において前記背圧流路を流れる水の瞬間流量は、前記標準位置において前記背圧流路を流れる水の瞬間流量よりも多くなるように構成されていることを特徴とする請求項６に記載の流路開閉装置。
【発明の詳細な説明】
【技術分野】
【０００１】
本発明は、便器に洗浄水を供給する流路開閉装置に関する。
【背景技術】
【０００２】
便器に洗浄水を供給する手段として、給水路にフラッシュバルブといった流路開閉装置を設けることが広く行われている。フラッシュバルブは、給水元である一次側流路から水を受け入れて一次側内部流路に送り出す流入口と、二次側内部流路から給水先である二次側流路へ水を送り出す流出口とが形成された本体部と、一次側内部流路と二次側内部流路との間の流路開閉を行う主バルブと、この主バルブを介さずに一次側内部流路と二次側内部流路とを連通するバイパス流路と、バイパス流路の流路開閉を行う副バルブと、を備えるものである。
【０００３】
このように構成されたフラッシュバルブは、操作レバーを押し下げるといった副バルブを開く動作を行うと、バイパス流路が開かれて主バルブを構成する主弁体の背圧が低下し、一次側内部流路内の一次圧によって主弁体が主弁座から引き離されるように押し上げられて主バルブが開放され、流出口から水が二次側流路へと流出される。その後、操作レバーを戻すといった副バルブを閉じる動作を行うか、若しくは自動的に操作レバーが戻って副バルブが閉じられると、バイパス流路が閉じられて主弁体の背圧が上昇する。この主弁体の背圧の上昇に伴って主弁体が主弁座に近づくように降下し、やがて主弁体が主弁座に当接することで主バルブが閉じられる。従って、フラッシュバルブは、給水を開始する指示を受けることで、一定の開度となるように主弁体が主弁座から引き離され、便器に給水を開始し、所定の条件を満たすことで自律的に給水を停止する流路開閉装置として機能するものである。
【０００４】
フラッシュバルブが設置される場所は、給水圧が高いところもあれば、給水圧が低いところもある。従来のフラッシュバルブはその構造上、給水圧の高低によらずに、副バルブを開いた際の主弁体の位置を調整するものであるため、給水圧によってその吐水量が大きくばらつき、無駄水が生じてしまうという問題があった。このため、主弁体の上昇位置を調整するネジが設けられる場合がある。フラッシュバルブを設置するにあたっては、現場でこのネジを調整し、主弁体の上昇量を調整している。
【０００５】
しかしながら、現場で施工者がネジを回して主弁体の上昇量を調整すると、個々の現場によって調整量が異なることが多く、便器に対する給水量が必ずしも適切なものとならない可能性もある。そこで、下記特許文献１に記載のフラッシュバルブでは、主弁体の上昇位置を規制する上昇位置規制手段と、給水圧を検知する圧力センサーと、圧力センサーの水圧測定値に応じて上昇位置規制手段を制御し、主弁体の上昇規制量を調整する制御手段と、を備えている。
【０００６】
一方で、無駄水を防止するという観点からは、下記特許文献２に記載のフラッシュバルブも提案されている。下記特許文献２に記載のフラッシュバルブは、主弁体に背圧を与える圧力室を設け、その圧力室に導入する水の導入量を減少させることで、主弁体の閉弁動作を最初は急速に、以降は緩やかに行うものとしている。
【先行技術文献】
【特許文献】
【０００７】
【特許文献１】特開平６−３３６７５３号公報
【特許文献２】特開昭５４−７６２４号公報
【発明の概要】
【発明が解決しようとする課題】
【０００８】
上記特許文献１に記載のフラッシュバルブでは、制御手段が、圧力センサーの検知圧力に応じてモーターを駆動し、上昇位置規制手段を給水圧に応じた位置に調整する。従って、給水圧が変動しても、便器側へ流す水量を一定に制御することが出来る。このように、給水圧が高い場合も低い場合も、便器側に流す水量を一定にすることで、無駄水を低減することが可能なものとなっている。
【０００９】
ところで、フラッシュバルブは、小便器にも大便器にも取り付けられるものである。小便器は、小便を受け止めるボウル部の下方に封水部が形成されているものである。小便器を洗浄するにあたって、ボウル部に洗浄水を流すと、その洗浄水はボウル部を洗い流した後封水部に流れ込み、封水部の溜水を置換して洗浄が完了する。従って、小便器に給水するためにフラッシュバルブを取り付けた場合には、便器側に流す水量を一定にすることで、無駄水を低減する効果を享受することができる。
【００１０】
一方、大便器には様々な洗浄方式があり、それぞれの洗浄方式によって洗浄水がボウル部をどのように洗浄し、封水を形成している溜水をどのように置換するかが異なっている。例えば、洗い落とし方式は、大便や小便を受け止めるボウル部の下方に封水部が形成されており、吐出された水勢のみで汚物を排出するものである。この洗い落とし方式の大便器を洗浄するにあたって、ボウル部に洗浄水を流すと、その洗浄水は流された勢いのまま封水部に直線的に流れ込み、汚物を流し出し、封水部の溜水を置換して洗浄が完了する。従って、このような洗い落とし方式の大便器に給水するためにフラッシュバルブを取り付けた場合には、小便器の場合と同様に、便器側に流す水量を一定にすることで、無駄水を低減する効果を享受することができる。
【００１１】
一方、サイフォン方式（サイフォンゼット方式といった他のサイフォン現象を利用する方式を含む）は、大便や小便を受け止めるボウル部の下方に封水部が形成されており、封水部から下流の管路を屈曲させ、洗浄時にサイフォン現象を起こさせることによって汚物を吸引して排出する方式である。サイフォン方式の大便器を洗浄するにあたって、ボウル部に洗浄水を流すと、その洗浄水によって封水部及びその前後の管路を満水状態とし、その後にサイフォン現象による吸引効果で汚物を確実に流している。この吸引効果が発生すると、封水部及びその前後の管路の水が吸引されて流されるので、封水部の溜水がなくなってしまう。そこで、洗浄後に封水部に溜水を補給することが行われており、この溜水として補給する水をリフィル水とも呼んでいる。本発明者らは、洗い落とし方式の大便器とは異なり、サイフォン現象を利用するサイフォン方式では、このリフィル水の特性に起因して、従来のフラッシュバルブでは無駄水の低減効果のみを享受することはできないことを発見したものである。
【００１２】
上記特許文献１に記載されているフラッシュバルブは、給水圧が高い場合も低い場合も、便器側に流す瞬間流量を一定にするものであるから、弁座に対する弁体のリフト量を給水圧に応じて変動させる。具体的には、高水圧時にはリフト量を調整しない状態よりもリフト量の抑制度合いを高め、水圧に比してリフト量が少なくなるように調整している。一方、低水圧時にはそのようなリフト量の抑制を低減させることで、水圧に応じたリフト量が生じるように調整している。このように給水圧に応じたリフト量調整をすることで、高水圧時に洗浄水の瞬間流量が上がることを抑制し、低水圧時に洗浄水の瞬間流量を維持確保することで、洗浄水の瞬間流量が一定に保たれるように工夫している。
【００１３】
このように、瞬間流量を一定に保つため、高水圧時にはリフト量の抑制度合いを高め、低水圧時にはリフト量の抑制度合いを少なくしているため、閉弁を開始してから閉弁が完了するまでの弁座に弁体が密接するまでの時間は、給水圧が高ければ相対的に短い時間となり、給水圧が低ければ相対的に長い時間となる。従って、従来のフラッシュバルブは、洗浄水を流すべく弁座から弁体を離隔させている間は便器側に流す水量を給水圧によらずに一定に保てるものの、閉弁を開始してから閉弁が完了するまでに流れる水量が給水圧によってばらついてしまう。
【００１４】
サイフォン方式の大便器におけるリフィル水は、洗浄後に封水部に溜水を補給するものであるから、フラッシュバルブが閉弁を開始してから閉弁が完了するまでに流れる水がリフィル水となる。従って、従来のフラッシュバルブのように、閉弁を開始してから閉弁が完了するまでに流れる水が給水圧によってばらついてしまえば、リフィル水の供給量がばらつくことになり、封水形成上は何らかの対策が求められる。給水圧が高い場合は閉弁を開始してから閉弁が完了するまでの時間が相対的に短くなるものであるから、給水圧が高い場合を基準にすれば、給水圧が低い場合にリフィル水として必要となる水量以上の水が供給されることになり、無駄水が発生する。一方、給水圧が低い場合は閉弁を開始してから閉弁が完了するまでの時間が相対的に長くなるものであるから、給水圧が低い場合を基準にすれば、給水圧が低い場合にリフィル水として必要となる水量以下の水が供給されることになり、封水切れが起きるおそれもある。
【００１５】
上述したように、フラッシュバルブが閉弁を開始してから閉弁が完了するまでの時間をコントロールする技術が特許文献２に開示されている。しかしながら、上記特許文献２に記載の技術は、主弁体の閉弁速度を一時的に高めることにより、洗浄に必要とする水量を減らすことを目的とするものである。具体的には、主弁体に背圧を与える圧力室に水を導入する流路を、大径の流路と小径の流路と二系統設けている。閉弁動作の初期段階においては、大径の流路と小径の流路との双方から圧力室に水を導入しているので、小径の流路のみの場合に比較して大流量で圧力室に水を供給することができ、主弁体は急激に主弁座に向かって移動する。そして、主弁体がある程度主弁座に近づいたところで、大径の流路からの水の供給を停止し、小径の流路からのみ圧力室に水を供給し、ウォーターハンマーが発生することを防止している。
【００１６】
従って、上記特許文献２に記載の技術は、リフィル水に着目したものではなく、あくまでも洗浄動作に必要とされる水量を全体として減少させることを目的としている。従って、上記特許文献２に記載の技術思想を用いても、給水圧に応じて洗浄水量を一定にするため、給水圧に応じて主弁体のリフト量を変動させた際に生じる課題を解決することができないものである。具体的には、主弁体の閉弁速度を一時的に高めたとしても、給水圧に応じて主弁体のリフト量を変動させた際の、リフィル水の供給量のばらつきは抑制することができない。
【００１７】
本発明はこのような課題に鑑みてなされたものであり、その目的は、サイフォン方式の大便器に洗浄水を供給する流路開閉装置であって、洗浄水を大便器に供給する場合には給水圧によらずに水量を一定に保てる一方で、閉弁を開始してから閉弁が完了するまでの間に大便器側に供給するリフィル水の水量も一定の範囲内の必要水量に保つことが可能な流路開閉装置を提供することにある。
【課題を解決するための手段】
【００１８】
上記課題を解決するために本発明に係る流路開閉装置は、給水を開始する指示を受けることでサイフォン方式の大便器に給水を開始し、所定の条件を満たすことで自律的に給水を停止する流路開閉装置であって、給水元に繋がる一次側流路と給水先である大便器へ繋がる二次側流路との間の流路開閉を行う主弁体及び主弁座を有する主バルブと、前記一次側流路から前記二次側流路へ流れる水の瞬間流量を一定に保つように相互の距離を調整する定流量弁体及び定流量弁座を有する定流量バルブと、を備える。前記主弁体及び前記定流量弁体は、一体化された弁体部材として形成されている。前記大便器を洗浄するための洗浄水を前記大便器に供給する洗浄水供給段階では、前記弁体部材を後退方向に駆動し、前記主弁体を前記主弁座から離隔させることで前記二次側流路に洗浄水を供給すると共に、前記定流量弁体と前記定流量弁座との距離を調整することで洗浄水の瞬間流量を一定に保つように構成されている。一方で、前記大便器の封水を形成するためのリフィル水を前記大便器に供給するリフィル水供給段階では、前記弁体部材を前進方向に駆動することで、前記主弁体を前記弁座に当接させるように構成されている。前記リフィル水供給段階において、前記一次側流路からの給水圧に応じて前記弁体部材の前進動作を調整することで、給水圧に依存しない所定量のリフィル水を前記大便器に供給するリフィル水量調整手段を備える。前記リフィル水量調整手段は、前記リフィル水供給段階開始時における前記主弁座に対する前記主弁体の開度が、所定量のリフィル水を供給するために定まる標準開度となるように、前記弁体部材を所定の標準位置まで強制移動させる。
【００１９】
本発明によれば、一次側流路と二次側流路との間の流路開閉を行うための主弁体と、一次側流路から二次側流路へ流れる水の瞬間流量を一定に保つための定流量弁体とを一体化された弁体部材として構成しているので、給水圧の変動によって大便器側に供給する水の瞬間流量が変動することなく、コンパクトな構成の流路開閉装置を提供することができる。大便器に洗浄水を供給する洗浄水供給段階では、定流量弁体と定流量弁座との距離を調整することで洗浄水の瞬間流量を一定に保つように構成されているので、弁体部材の相対的な位置を調整することで確実に瞬間流量を一定に保った給水を行うことができる。このように、給水圧に応じて弁体部材の相対的な位置を調整した場合において、洗浄水の供給が終了して閉弁動作に入ると、大便器の封水を形成するためのリフィル水の安定供給ができなくなる。具体的には、高水圧時には、主弁体及び定流量弁体が主弁座及び定流量弁座から離隔し難いように調整し、低水圧時には、主弁体及び定流量弁体が主弁座及び定流量弁座から離隔しやすいように調整しているので、高水圧時にリフィル水が不足する可能性や低水圧時にリフィル水が余る可能性がある。
【００２０】
そこで本発明では、大便器の封水を形成するためのリフィル水を大便器に供給するリフィル水供給段階において、一次側流路からの給水圧に応じて弁体部材の前進動作を調整することで、給水圧に依存しない所定量のリフィル水を大便器に供給するリフィル水量調整手段を設けている。一次側流路からの給水圧に応じて弁体部材の前進動作を調整することで、主弁体の主弁座に対する近接度合いや、定流量弁体の定流量弁座に対する近接度合いを調整することができ、給水圧の高低によらず所定量のリフィル水を大便器に供給することができる。従って、一次側流路からの給水圧に応じて弁体部材の前進動作を調整するという簡単な構成で、サイフォン方式の大便器において洗浄水供給を行った場合に生じる封水部及びその前後の管路の水が吸引されて流されてしまう現象に対して、給水圧の高低に左右されず確実に一定の範囲内の必要水量のリフィル水を供給することができる。
【００２１】
更に本発明では、リフィル水供給段階開始時における主弁座に対する主弁体の開度が、所定量のリフィル水を供給するために定まる標準開度となるように、弁体部材を所定の標準位置まで強制移動させるように構成している。本発明に係る流路開閉装置が定流量機能を発揮する際には、瞬間流量を一定に保つため、高水圧時にはリフト量の抑制度合いを高め、低水圧時にはリフト量の抑制度合いを少なくしている。そのため、弁体部材が閉弁を開始してから閉弁が完了するまでの時間は、給水圧が高ければ相対的に短い時間となり、給水圧が低ければ相対的に長い時間となる。すなわち、定流量機能の発揮の観点から弁体部材を適切な位置に配置したとしても、リフィル水量を確保する観点からは弁体部材が適切な位置からは、ずれていることを本発明者らは見出したのである。そこで、主弁座に対する主弁体の開度が、所定量のリフィル水を供給するために定まる標準開度となるように、弁体部材を所定の標準位置まで強制移動させるように構成することで、このずれを解消し、給水圧の高低に左右されず確実に一定の範囲内の必要水量のリフィル水を供給することができる。
【００２２】
本発明に係る流路開閉装置では、前記リフィル水量調整手段は、前記リフィル水供給段階開始時に前記弁体部材を前記標準位置まで強制移動させる準備速度が、前記リフィル水供給段階において前記弁体部材が前記標準位置から更に前記主弁座及び前記主弁体を近接させて閉弁する閉弁位置までの閉弁速度よりも高くなるように前記弁体部材を移動させることも好ましい。
【００２３】
上述したように本発明は、定流量機能の発揮の観点から弁体部材を適切な位置に配置したとしても、リフィル水量を確保する観点からは弁体部材が適切な位置からは、ずれていることに着目したものであり、弁体部材をリフィル水供給段階の初期において標準位置に位置させることが必要となる。そこでこの好ましい態様では、準備速度を閉弁速度よりも高めることで、リフィル水供給段階の初期において弁体部材を適切な位置に確実に配置することができ、弁体部材の位置ずれを解消して給水圧の高低に左右されず確実に一定の範囲内の必要水量のリフィル水を供給することができる。
【００２４】
本発明に係る流路開閉装置では、前記弁体部材を挟んで前記一次側流路とは反対側に形成され、前記一次側流路から水が流れ込むことで、前記主弁体を前記主弁座に近づけるように作用する背圧を生じさせる背圧室が設けられていることも好ましい。前記弁体部材は、前記背圧室から付与される背圧と前記一次側流路から作用する給水圧との差圧によって、前進又は後退するように駆動され、前記リフィル水供給段階における閉弁速度は、前記一次側流路から前記背圧室へ流れ込む水の瞬間流量によって定まるものであり、前記一次側流路から前記背圧室へ流れ込む水の瞬間流量は、前記リフィル水供給段階開始時に前記弁体部材を前記標準位置まで強制移動させるまでの瞬間流量が、前記標準位置から前記閉弁位置まで移動させるまでの瞬間流量よりも多いことも好ましい。
【００２５】
この好ましい態様では、一次側流路から背圧室へ流れ込む水の瞬間流量を調整することで、背圧室から付与される背圧と一次側流路から作用する給水圧との差圧によって、前進又は後退するように駆動される弁体部材の動きを制御している。そして、リフィル水供給段階開始時に弁体部材を標準位置まで強制移動させるまでの瞬間流量が、標準位置から閉弁位置まで移動させるまでの瞬間流量よりも多くなるように構成することで、別途弁体部材の移動を制御する手段を設けることなく、簡易な手段で確実に必要水量のリフィル水を確保することができる。
【００２６】
本発明に係る流路開閉装置では、前記一次側流路と前記背圧室とを繋ぐ背圧流路が設けられており、前記背圧流路の流路断面積は、前記リフィル水供給段階開始時に前記弁体部材を前記標準位置まで強制移動させるまでと、前記標準位置から前記閉弁位置まで移動させるまでとで、変動することも好ましい。
【００２７】
この好ましい態様では、背圧流路の流路断面積を弁体部材が標準位置まで強制移動させられる前と後とで変動するように構成しているので、背圧室に入り込む水の瞬間流量を弁体部材が標準位置まで強制移動させられる前と後とで確実に変動するように構成することができる。従って、流路断面積を変動させるという簡易な手段によって、リフィル水供給段階開始時に弁体部材を標準位置まで強制移動させるまでの瞬間流量が、標準位置から閉弁位置まで移動させるまでの瞬間流量よりも多くなるように構成することが可能となり、別途弁体部材の移動を制御する手段を設けることなく、確実に必要水量のリフィル水を確保することができる。
【００２８】
本発明に係る流路開閉装置では、前記背圧流路の流路断面積は、前記弁体部材が前記標準位置まで移動することによって変動するように構成されていることも好ましい。
【００２９】
この好ましい態様では、弁体部材自身の標準位置までの移動によって、背圧流路の流路断面積を変動させているので、弁体部材が標準位置まで強制移動させられたことと流路断面積の変動とを確実に同期させることができる。
【００３０】
本発明に係る流路開閉装置では、前記弁体部材の前記標準位置までの強制移動は、前記弁体部材を前記前進方向に強制移動させることで行われることも好ましい。
【００３１】
弁体部材の標準位置までの強制移動が主弁体を主弁座から引き離す方向に向うものであれば、洗浄水の瞬間流量が一時的に高まってしまうおそれがある。そこでこの好ましい態様では、弁体部材の標準位置までの強制移動が弁体部材を閉弁位置まで向わせる方向である前進方向に強制移動させるものであるように構成することで、洗浄水の瞬間流量の一時的な高まりを抑え、確実に必要水量のリフィル水を確保することができる。
【００３２】
本発明に係る流路開閉装置では、前記リフィル水供給段階開始時に前記弁体部材が位置する定流量位置において前記背圧流路を流れる水の瞬間流量は、前記標準位置において前記背圧流路を流れる水の瞬間流量よりも多くなるように構成されていることも好ましい。
【００３３】
この好ましい態様では、リフィル水供給段階開始時に定流量位置において背圧流路を流れる水の瞬間流量を、標準位置において背圧流路を流れる水の瞬間流量よりも多くすることで、その差分によって弁体部材を標準位置まで強制移動させることが可能となる。従って、背圧流路を流れる水の瞬間流量を、弁体部材が標準位置まで強制移動させられる前後において変動するように構成するという簡便な構成で、弁体部材の標準位置までの強制移動を確実に行うことが可能となる。
【発明の効果】
【００３４】
本発明によれば、サイフォン方式の大便器に洗浄水を供給する流路開閉装置であって、洗浄水を大便器に供給する場合には給水圧によらずに水量を一定に保てる一方で、閉弁を開始してから閉弁が完了するまでの間に大便器側に供給するリフィル水の水量も一定の範囲内の必要水量に保つことが可能な流路開閉装置を提供することができる。
【図面の簡単な説明】
【００３５】
【図１】本発明の実施形態であるフラッシュバルブを大便器への給水管に取り付けた状態を示す外観図である。
【図２】本発明の第一実施形態であるフラッシュバルブの内部構造を模式的に示す概略構成図である。
【図３】図２に示すフラッシュバルブの吐水動作を示す図である。
【図４】図２に示すフラッシュバルブの吐水動作を示す図である。
【図５】図２に示すフラッシュバルブの吐水動作を示す図である。
【図６】図２に示すフラッシュバルブの吐水動作を示す図である。
【図７】図２に示すフラッシュバルブの吐水動作を示す図である。
【図８】本発明の第二実施形態であるフラッシュバルブの内部構造を模式的に示す概略構成図である。
【図９】図８に示すフラッシュバルブの吐水動作を示す図である。
【図１０】図８に示すフラッシュバルブの吐水動作を説明するための図である。
【図１１】図８に示すフラッシュバルブの吐水動作を説明するための図である。
【図１２】本発明の第三実施形態であるフラッシュバルブの内部構造を模式的に示す概略構成図である。
【図１３】図１２に示すフラッシュバルブの吐水動作を説明するための図である。
【発明を実施するための形態】
【００３６】
以下、添付図面を参照しながら本発明の実施の形態について説明する。説明の理解を容易にするため、各図面において同一の構成要素に対しては可能な限り同一の符号を付して、重複する説明は省略する。
【００３７】
本発明の実施形態であるフラッシュバルブ（流路開閉装置）について図１に示す。図１は、本発明の実施形態であるフラッシュバルブを大便器への給水管に取り付けた状態を示す外観図である。図１に示されるように、フラッシュバルブＳＶ（流路開閉装置）は、大便器ＳＢへの給水管ＴＢの途中に取り付けられている。フラッシュバルブＳＶは、給水を開始する指示を受けることで、給水管ＴＢを経由する流路を開いて大便器ＳＢに給水を開始する。その後、フラッシュバルブＳＶは、所定の条件を満たすことで自律的に流路を閉じて給水を停止する。
【００３８】
大便器ＳＢは、封水部ＳＷが設けられている。封水部ＳＷには常時溜水がなされ、封水が形成されている。大便器ＳＢを使用すると、封水部ＳＷに汚物が投入される。大便器ＳＢの使用後にフラッシュバルブＳＶを操作すると、フラッシュバルブＳＶから略一定の瞬間流量で洗浄水が供給される。この洗浄水によって、封水部ＳＷの溜水及び汚物が流される。本実施形態の場合、大便器ＳＢはサイフォン方式の便器であるので、サイフォン現象によって洗浄水は汚物と共に下流側へ吸引される。本実施形態のフラッシュバルブＳＶは、洗浄後に封水部ＳＷにリフィル水を供給するように構成されている。
【００３９】
フラッシュバルブＳＶは、本体部１０と、電磁弁８２とを備えている。本体部１０内には、給水管ＴＢに繋がる一次側内部流路２０と、大便器ＳＢに繋がる二次側内部流路３０とが形成されている。本体部１０内には弁体部材４０が配置されている。弁体部材４０は、一次側内部流路２０と二次側内部流路３０との間の流路開閉を行うものである。電磁弁８２は、バイパス流路８０に設けられている。電磁弁８２を開くことで、弁体部材４０の背圧が下がり開弁される。本実施形態では、給水管ＴＢにおいて、フラッシュバルブＳＶよりも上流側には止水栓Ｖが、フラッシュバルブＳＶよりも下流側であって大便器ＳＢよりも上流側にはバキュームブレーカーＶＢが、それぞれ配置されている。
【００４０】
続いて、本発明の第一実施形態であるフラッシュバルブＳＶの内部構造について、図２を参照しながら説明する。図２は、フラッシュバルブＳＶの内部構造を模式的に示す概略構成図である。
【００４１】
図２に示されるように、フラッシュバルブＳＶは、本体部１０を備えている。本体部１０の内部には、一次側内部流路２０と、二次側内部流路３０と、背圧室１４と、副背圧室１２とが形成されている。一次側内部流路２０は、給水元である一次側流路（図１に示す給水管ＴＢのフラッシュバルブＳＶよりも上流側の流路）から流入水Ｗａを受け入れて、二次側内部流路３０に向けて流出させるものである。一次側内部流路２０の上流端には流入口２１が設けられている。流入口２１は、流入水Ｗａを受け入れて一次側内部流路２０に送り出す開口部である。
【００４２】
二次側内部流路３０は、一次側内部流路２０から流入する水を給水先である二次側流路（図１に示す給水管ＴＢのフラッシュバルブＳＶよりも下流側の流路）に流出水Ｗｂとして流出させるものである。二次側内部流路３０の下流端には流出口３１が設けられている。流出口３１は、二次側内部流路３０から二次側流路へ流出水Ｗｂを送り出す開口部である。
【００４３】
一次側内部流路２０と二次側内部流路３０との間には、一次側内部流路２０と二次側内部流路３０との間の流路開閉を行う主弁体４２を有する弁体部材４０が配置されている。弁体部材４０は、下流側の一端が二次側内部流路３０に挿入されており、その反対側の他端が背圧室１４に臨むように配置されている。弁体部材４０は、二次側内部流路３０の延びる方向に沿って進退自在に配置されている。
【００４４】
主弁体４２の下流側の面は、主弁体面４２１である。弁体部材４０が最も下流側に押し込まれると、主弁体面４２１が一次側内部流路２０の二次側内部流路３０に対する境界面に当接し、一次側内部流路２０と二次側内部流路３０との間の水の流通を遮断するように構成されている。従って、主弁体面４２１が当接する境界面は、主弁座面２０１（主弁座）として機能している。
【００４５】
弁体部材４０の、主弁体４２よりも下流側の部分には、定流量弁体４４が設けられている。定流量弁体４４は、外形面である傾斜面４４１を有している。
【００４６】
定流量弁体４４の傾斜面４４１は、二次側内部流路３０の内側壁との間の距離を可変にすることで、二次側内部流路３０の内側壁を定流量弁座とする定流量弁を構成している。傾斜面４４１は、主弁体４２から流出口３１に向かって、二次側内部流路３０の内側壁から離隔するように傾斜させて形成されている。
【００４７】
従って、弁体部材４０が、一次側内部流路２０と二次側内部流路３０との間に水を通すように上昇（背圧室１４へ入り込む方向、後退方向、開弁方向）すると、定流量弁体４４の傾斜面４４１と二次側内部流路３０の内側壁との間の最短距離が広がり、流量を増やすように作用する。弁体部材４０が、一次側内部流路２０と二次側内部流路３０との間に水を通すように上昇（背圧室１４へ入り込む方向）し、その後下降（流出口３１へ向かう方向、前進方向、閉弁方向）すると、定流量弁体４４の傾斜面４４１と二次側内部流路３０の内側壁との間の最短距離が縮まり、流量を絞るように作用する。
【００４８】
弁体部材４０の、主弁体４２を挟んで定流量弁体４４と反対側には収容凹部４６が設けられている。収容凹部４６は、背圧室１４側から後退するように凹状に形成されている。収容凹部４６の背圧室１４側には、副弁座４６５が設けられている。収容凹部４６は、孔４６１と、凹部４６２と、副孔４６３（背圧流路）と、が形成されている。
【００４９】
孔４６１は、一次側内部流路２０と凹部４６２とを繋ぐ連通孔として形成されている。凹部４６２は、バネ５０と、副弁桿４８とを収容している。凹部４６２内には、副弁桿４８の先端の大径部４８１が配置されている。大径部４８１は、バネ５０と当接しており、バネ５０を介して弁体部材４０を流出口３１に向けて付勢している。
【００５０】
副弁桿４８は、棒状に延びる小径部４８３と、小径部４８３の先端に設けられている大径部４８１とを有している。小径部４８３は、副弁座４６５に設けられた連通路４６４（背圧流路）を貫通している。連通路４６４と小径部４８３との間には、通水可能な隙間が形成される。従って、孔４６１から凹部４６２に流入した水は、連通路４６４を通って背圧室１４へと流れる。また、孔４６１を通った水の一部は、副孔４６３を通って背圧室１４へと流れる。
【００５１】
背圧室１４と副背圧室１２とは、第一位置調整部材６０によって仕切られて分離されている。第一位置調整部材６０には凹部６０１が設けられている。凹部６０１は、背圧室１４に向けてその外壁が突出する凹部として形成されている。凹部６０１には、連通路６０２が形成されている。凹部６０１の背圧室１４側には、線形特性を有するバネ７０が配置されている。バネ７０は、一端が凹部６０１内に収容され、他端は第二位置調整部材６５に当接するように配置されている。
【００５２】
第二位置調整部材６５は、バネ７０の巻き線の中心を貫通するように配置されている。第二位置調整部材６５の一端は、副弁桿４８の小径部４８３の一端と当接したり離隔したりするように配置され、第二位置調整部材６５の他端は本体部１０に固定されている。第二位置調整部材６５の一端側には、連通路６５１が形成されている。背圧室１４に入った水は、第二位置調整部材６５の連通路６５１を通って凹部６０１内に流入する。凹部６０１内に入った水は、連通路６０２を通ってバイパス流路８０側へと流れる。
【００５３】
第一位置調整部材６０は、副背圧室１２と背圧室１４との圧力差によって、副背圧室１２を広げる（背圧室１４を狭める）ように摺動したり、副背圧室１２を狭める（背圧室１４を広げる）ように摺動したりするように構成されている。
【００５４】
副背圧室１２には一次側内部流路２０にかかる一次圧と同じ圧力がかかるように構成されている。具体的には、一次側内部流路２０と副背圧室１２とが副一次流路２２によってつながれており、一次圧が副背圧室１２に伝達されている。
【００５５】
背圧室１４と二次側内部流路３０とは、凹部６０１を経由してバイパス流路８０によって繋がっている。バイパス流路８０には電磁弁８２が設けられている。電磁弁８２が閉じられて、背圧室１４まで水で満たされていれば、背圧室１４の内部には一次圧がかかっている。一方、電磁弁８２が開けられると、背圧室１４の水がバイパス流路８０から二次側内部流路３０に流出し、背圧室１４の内部圧力が低下する。
【００５６】
続いて、フラッシュバルブＳＶの動作について、図３〜図７を参照しながら説明する。図３〜図７は、図２に示すフラッシュバルブＳＶの吐水動作を示す図である。図３〜図７それぞれの（Ａ）は給水圧が低圧の状態を示し、図３〜図７それぞれの（Ｂ）は給水圧が高圧の状態を示し、図３〜図７それぞれの（Ｃ）は弁体部材４０のリフト量と副孔４６３及び連通路４６４の合算面積（小穴面積）と大便器ＳＢ側に流れる流量調整を示している。図３〜図７それぞれの（Ｃ）において、実線は給水圧が低い場合を示し、破線は給水圧が高い場合を示している。
【００５７】
図３の（Ａ）（Ｂ）（Ｃ）に示されるように、電磁弁８２が閉じられていると、背圧室１４及び副背圧室１２には、一次側内部流路２０と同じ一次圧がかかっている。弁体部材４０の主弁体４２も一次圧によって流出口３１側に押し込まれており、主弁体４２が一次側内部流路２０と二次側内部流路３０の境界面に密着して止水されている。また、副弁体４８２と副弁座４６５は当接しているので、副孔４６３及び連通路４６４の合算面積（小穴面積）は、副孔４６３のみの流路断面積となる。
【００５８】
続いて、図４の（Ａ）（Ｂ）（Ｃ）に示されるように、時刻ｔ１で電磁弁８２が開かれると、まず背圧室１４内の水が流出する。背圧室１４内の水が流出すると、背圧室１４内の圧力が低下する。背圧室１４と副背圧室１２との圧力差が生じるため、第一位置調整部材６０が押し下げられる。第二位置調整部材６５は本体部１０に固定されているため移動しない。バネ７０は、移動しない第二位置調整部材６５と第一位置調整部材６０との間に配置されているため、第一位置調整部材６０が押し下げられるとバネ７０は縮んで反力を発生させる。第一位置調整部材６０が弁体部材４０に近づく量は、第一位置調整部材６０が一次圧によって押される力とバネ７０がそれに対抗しようとする力とのバランスによって定められる。
【００５９】
従って、図４の（Ａ）に示されるように給水圧が低い場合は、第一位置調整部材６０はあまり押し下げられず、図４の（Ｂ）に示されるように給水圧が高い場合は、第一位置調整部材６０は大きく押し下げられる。
【００６０】
背圧室１４内の水が流出すると、弁体部材４０が背圧室１４側に押し上げられる。弁体部材４０の主弁体４２（主弁体面４２１）が主弁座面２０１から離脱するので、一次側内部流路２０から二次側内部流路３０に水が流れる。この一次側内部流路２０から二次側内部流路３０に流れる水の流量は、定流量弁体４４と二次側内部流路３０との間の隙間の広さによって調整される。
【００６１】
第一位置調整部材６０は、弁体部材４０のリフト量を調整するものであるから、図４の（Ａ）のように比較的少なく押し下げられると弁体部材４０のリフト量は大きくなり、図４の（Ｂ）のように比較的多く押し下げられると弁体部材４０のリフト量は小さくなる。また、副弁体４８２と副弁座４６５は離隔しているので、副孔４６３及び連通路４６４の合算面積（小穴面積）は、副孔４６３及び連通路４６４の流路断面積となる。
【００６２】
図４の（Ａ）のように給水圧が低い場合に弁体部材４０のリフト量が大きくなり、図４の（Ｂ）のように給水圧が高い場合に弁体部材４０のリフト量が小さくなるので、大便器ＳＢ側に供給される洗浄水の瞬間流量は略同一なものとなる。尚、大便器ＳＢに供給される洗浄水の瞬間流量を厳密に同一に保つ必要はなく、ある程度の範囲内での同等の瞬間流量を確保できれば足りるものである。
【００６３】
図５の（Ａ）（Ｂ）（Ｃ）に示されるように、時刻ｔ２で電磁弁８２が閉じられると、副孔４６３及び連通路４６４を通って、背圧室１４内に水が溜まる。副弁体４８２と副弁座４６５は離隔しているので、副孔４６３及び連通路４６４の合算面積（小穴面積）は、副孔４６３及び連通路４６４の流路断面積となる。従って、背圧室１４には一気に多くの水が流入する。
【００６４】
図６の（Ａ）（Ｂ）（Ｃ）に示されるように、副孔４６３及び連通路４６４を通って、背圧室１４内に一気に多くの水が流入すると、弁体部材４０は流出口３１方向に押し下げられる。弁体部材４０が閉弁方向に押し下げられると、副弁体４８２と副弁座４６５が当接し、連通路４６４が閉塞される。副弁体４８２が形成されている副弁桿４８の小径部４８３は、固定されている第二位置調整部材６５に当接しているので、副弁体４８２の位置は給水圧の高低によらずに略一定なものとなる。従って、弁体部材４０は、給水圧の高低によらずに所定の下降基準（基準位置）まで強制的に移動させられる。副弁体４８２と副弁座４６５が当接した後は、背圧室１４内への流入は副孔４６３からのみになる。弁体部材４０は、所定の下降基準まで強制的に移動するときよりも遅い速度で更に押し下げられる。その弁体部材４０の動きに伴い、バネ５０を介して副弁桿４８も一体的に押し下げられる。
【００６５】
図７の（Ａ）（Ｂ）（Ｃ）に示されるように、主弁体４２が主弁座面２０１に当接するまで弁体部材４０が押し下げられると、大便器ＳＢに対する水の供給が停止される。従って、図６の（Ｃ）から図７の（Ｃ）に至るまでに大便器ＳＢに供給される水が、大便器ＳＢの封水部ＳＷに供給されるリフィル水となる。図７の（Ｃ）の瞬間流量のグラフの、時刻ｔ２以降の時間軸と各線との間の略三角形の面積が、そのリフィル水の水量となる。図７の（Ｃ）に示されるように、給水圧が低い場合も高い場合も、所定の許容範囲内で所定量（大便器ＳＢのタイプによって異なる）のリフィル水を供給することができる。
【００６６】
上述したように、本実施形態の副弁桿４８の副弁体４８２、副弁座４６５は、本願発明のリフィル水量調整手段として機能している。本実施形態では、このリフィル水量調整手段によって、大便器ＳＢの封水を形成するためのリフィル水を大便器ＳＢに供給するリフィル水供給段階（図６，７それぞれの（Ｃ）の時刻ｔ２以降）において、一次側内部流路２０からの給水圧に応じて弁体部材４０の前進動作（主弁体４２を主弁座面２０１に近づける動作）を調整することで、給水圧に依存しない所定量のリフィル水を大便器ＳＢに供給することが可能なものとなっている。一次側流路からの給水圧に応じて弁体部材の前進動作を調整することで、主弁体の主弁座に対する近接度合いや、定流量弁体の定流量弁座に対する近接度合いを調整することができ、給水圧の高低によらず所定量のリフィル水を大便器に供給することができる。従って、一次側流路からの給水圧に応じて弁体部材の前進動作を調整するという簡単な構成で、サイフォン方式の大便器において洗浄水供給を行った場合に生じる封水部及びその前後の管路の水が吸引されて流されてしまう現象に対して、給水圧の高低に左右されず確実に一定の範囲内の必要水量のリフィル水を供給することができる。
【００６７】
続いて、本発明の第二実施形態であるフラッシュバルブＳＶａについて、図８を参照しながら説明する。フラッシュバルブＳＶａは、フラッシュバルブＳＶの副弁桿４８を副弁桿４８ａに置換したものである。副弁桿４８ａは、第二位置調整部材６５側の一端が細く、バネ５０側の他端が太いテーパー状の小径部４８３ａを有している。小径部４８３ａの太い他端側には、大径部４８１ａが形成されており、大径部４８１ａの一面が副弁体４８２ａを形成している。その他の構成は、フラッシュバルブＳＶと同じであるので、その説明を省略する。
【００６８】
続いて、フラッシュバルブＳＶａの動作について、図９を参照しながら説明する。図９は、図８に示すフラッシュバルブＳＶａの吐水動作を示す図である。図９の（Ａ）に示されるように、電磁弁８２が閉じられていると、背圧室１４及び副背圧室１２には、一次側内部流路２０と同じ一次圧がかかっている。弁体部材４０の主弁体４２も一次圧によって流出口３１側に押し込まれており、主弁体４２が一次側内部流路２０と二次側内部流路３０の境界面に密着して止水されている。また、副弁体４８２と副弁座４６５は当接しているので、副孔４６３及び連通路４６４の合算面積（小穴面積）は、副孔４６３のみの流路断面積となる。
【００６９】
続いて、図９の（Ｂ）に示されるように、電磁弁８２が開かれると、まず背圧室１４内の水が流出する。背圧室１４内の水が流出すると、背圧室１４内の圧力が低下する。背圧室１４と副背圧室１２との圧力差が生じるため、第一位置調整部材６０が押し下げられる。第二位置調整部材６５は本体部１０に固定されているため移動しない。バネ７０は、移動しない第二位置調整部材６５と第一位置調整部材６０との間に配置されているため、第一位置調整部材６０が押し下げられるとバネ７０は縮んで反力を発生させる。第一位置調整部材６０が弁体部材４０に近づく量は、第一位置調整部材６０が一次圧によって押される力とバネ７０がそれに対抗しようとする力とのバランスによって定められる。
【００７０】
従って、給水圧が低い場合は、第一位置調整部材６０はあまり押し下げられず、給水圧が高い場合は、第一位置調整部材６０は大きく押し下げられる。
【００７１】
背圧室１４内の水が流出すると、弁体部材４０が背圧室１４側に押し上げられる。弁体部材４０の主弁体４２（主弁体面４２１）が主弁座面２０１から離脱するので、一次側内部流路２０から二次側内部流路３０に水が流れる。この一次側内部流路２０から二次側内部流路３０に流れる水の流量は、定流量弁体４４と二次側内部流路３０との間の隙間の広さによって調整される。
【００７２】
第一位置調整部材６０は、弁体部材４０のリフト量を調整するものであるから、給水圧が低く比較的少なく押し下げられると弁体部材４０のリフト量は大きくなり、給水圧が高く比較的多く押し下げられると弁体部材４０のリフト量は小さくなる。
【００７３】
副弁体４８２aと副弁座４６５は離隔しているので、副孔４６３及び連通路４６４の合算面積（小穴面積）は、副孔４６３及び連通路４６４の流路断面積となる。ところで、第二実施形態に係るフラッシュバルブＳＶａの場合、副弁桿４８ａの小径部４８３ａがテーパー状になっている。給水圧が低い場合は、第一位置調整部材６０はあまり押し下げられないので、弁体部材４０が上昇し、副弁座４６５は小径部４８３ａの径が比較的細い部分に位置する。従って、給水圧が低い場合は、連通路４６４の流路断面積が広くなる。一方、給水圧が高い場合は、第一位置調整部材６０はより押し下げられるので、弁体部材４０が下降し、副弁座４６５は小径部４８３ａの径が比較的太い部分に位置する。従って、給水圧が低い場合は、連通路４６４の流路断面積が狭くなる。
【００７４】
給水圧が低い場合に弁体部材４０のリフト量が大きくなり、給水圧が高い場合に弁体部材４０のリフト量が小さくなるので、大便器ＳＢ側に供給される洗浄水の瞬間流量は略同一なものとなる。尚、大便器ＳＢに供給される洗浄水の瞬間流量を厳密に同一に保つ必要はなく、ある程度の範囲内での同等の瞬間流量を確保できれば足りるものである。
【００７５】
図９の（Ｃ）に示されるように、電磁弁８２が閉じられると、副孔４６３及び連通路４６４を通って、背圧室１４内に水が溜まる。副弁体４８２ａと副弁座４６５は離隔しているので、副孔４６３及び連通路４６４の合算面積（小穴面積）は、副孔４６３及び連通路４６４の流路断面積となる。従って、背圧室１４には一気に多くの水が流入する。
【００７６】
図９の（Ｄ）に示されるように、副孔４６３及び連通路４６４を通って、背圧室１４内に一気に多くの水が流入すると、弁体部材４０は流出口３１方向に押し下げられる。
【００７７】
上述したように、給水圧が低い場合は、弁体部材４０のリフト量が多いものの、副孔４６３及び連通路４６４の合算面積（小穴面積）も広くなるので、弁体部材４０はその合算面積を減少させながら下降する（主弁体４２が主弁座面２０１に近づく）。弁体部材４０が十分に下降すると、副弁体４８２ａと副弁座４６５が当接し、連通路４６４が閉塞される。これとほぼ同じタイミングで、主弁体４２と主弁座面２０１とも当接し、リフィル水の供給が終了する。
【００７８】
一方、給水圧が高い場合は、弁体部材４０のリフト量が少なく、副孔４６３及び連通路４６４の合算面積（小穴面積）も狭くなる。従って、給水圧が低い場合よりも弁体部材４０の移動速度は低減されながら、その合算面積を減少させるように下降する（主弁体４２が主弁座面２０１に近づく）。弁体部材４０が下降すると、副弁体４８２ａと副弁座４６５が当接し、連通路４６４が閉塞される。これとほぼ同じタイミングで、主弁体４２と主弁座面２０１とも当接し、リフィル水の供給が終了する。
【００７９】
図９の場合における、時間と瞬間流量との関係を図１０に示す。図１０の二点鎖線でしめすように、給水圧が低い場合に定流量化を測ろうとすると、弁体部材４０の上昇量が大きくなって弁開度も大きくなり、結果として閉弁動作に時間がかかる。結果として、給水圧が高い場合と比較して、図１０の斜線を付した三角形の領域分の無駄なリフィル水を供給することになる。しかしながら、本実施形態では、給水圧が低い場合に弁体部材４０の閉弁速度を高めるように構成しているので、実線で示す給水圧が低い場合も、破線で示す給水圧が高い場合も、時間に対する瞬間流量の低減度合いが近づくので、無駄なリフィル水を供給することがない。
【００８０】
また本実施形態では、図１１に示すようなリフィル水の供給態様を採用することも好ましいものである。これは、洗浄水を流した後に、弁体部材４０を押し下げて主弁体４２と主弁座面２０１とを当接させ、閉弁動作が一旦完了した後に、リフィル水を供給するために再度開弁動作を行うものである。この場合には、リフィル水を供給するための瞬間流量が、洗浄水を供給する瞬間流量よりも低くなるように調整することが好ましいものである。
【００８１】
このように閉弁動作が一旦完了した後に、リフィル水を供給するために再度開弁動作を行う場合には、フラッシュバルブの構造をより簡便なものとすることができる。この第三実施形態について図１２を参照しながら説明する。図１２に示すフラッシュバルブＳＶｂは、フラッシュバルブＳＶの副弁桿４８を省略すると友に、副弁座４６５を省略した弁体部材４０ｂを用いるものである。フラッシュバルブＳＶｂで通常の閉弁動作を行うと、図１３に示すように、閉弁動作に入った時刻ｔ２以降のリフィル水量の供給が、高水圧時（破線）の方が低水圧時（実線）の方よりも不足してしまう（図中斜線を付した三角形の領域）。そこで、再度開弁動作を行い、弁体部材４０ｂの位置を調整し、低流量の水を流す動作を実行する。このようにすることで、リフィル水の供給不足を補うことができる。
【００８２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００８３】
ＳＶ：フラッシュバルブ（流路開閉装置）
ＳＢ：大便器
ＳＷ：封水部
ＴＢ：給水管
Ｖ：止水栓
１０：本体部
１２：副背圧室
１４：背圧室
２０：一次側内部流路
２０１：主弁座面（主弁座）
２１：流入口
２２：副一次流路（背圧流路）
３０：二次側内部流路
３１：流出口
４０：弁体部材
４２：主弁体
４２１：主弁体面
４４：定流量弁体
４４１：傾斜面
４６：収容凹部
４６１：孔
４６２：副弁座
４６３：副孔（背圧流路）
４６４：連通路（背圧流路）
４６５：凹部
４８：副弁桿
４８１：大径部
４８２：副弁体
４８３：小径部
５０：バネ
６０：第一位置調整部材
６０１：凹部
６０２：連通路
６５：第二位置調整部材
６５１：連通路
７０：バネ
８０：バイパス流路
８２：電磁弁
Ｗａ：流入水
Ｗｂ：流出水
【図１０】
0005757124.tif 000002
【図１１】
0005757124.tif 000003
【図１３】
0005757124.tif 000004
【図１】
0005757124.tif 000005
【図２】
0005757124.tif 000006
【図３】
0005757124.tif 000007
【図４】
0005757124.tif 000008
【図５】
0005757124.tif 000009
【図６】
0005757124.tif 000010
【図７】
0005757124.tif 000011
【図８】
0005757124.tif 000012
【図９】
0005757124.tif 000013
【図１２】
0005757124.tif 000014